【手続補正書】
【提出日】平成17年3月29日(2005.3.29)
【手続補正１】
【補正対象書類名】明細書
【補正対象項目名】発明の名称
【補正方法】変更
【補正の内容】
【発明の名称】記録再生装置
【手続補正２】
【補正対象書類名】明細書
【補正対象項目名】特許請求の範囲
【補正方法】変更
【補正の内容】
【特許請求の範囲】
【請求項１】
撮像手段と、
前記撮像手段により得られた画像データをカード型メモリに対して記録再生する第１の記録再生手段と、
前記画像データをディスク媒体に対して記録再生する第２の記録再生手段と、
記録開始の指示に応じて前記カード型メモリに対して前記画像データの記録を開始すると共に、前記記録開始の指示の後記録停止の指示を受けることなく所定期間が経過した場合には前記カード型メモリに記録された画像データを再生して前記ディスク媒体に記録し、前記記録開始の指示の後前記所定期間内に記録停止の指示を受けた場合には前記カード型メモリに記録された画像データを前記ディスク媒体に記録することなく前記カード型メモリに対する前記画像データの記録を停止するよう前記第１の記録再生手段と第２の記録再生手段を制御するコントローラとを備えることを特徴とする記録再生装置。
【請求項２】
画像データを第１の記録素子に対して記録再生する第１の記録再生手段と、
画像データを第２の記録素子に対して記録再生する第２の記録再生手段と、
記録開始の指示に応じて前記第１の記録素子に対して前記画像データの記録を開始すると共に、前記記録開始の指示の後記録停止の指示を受けることなく所定期間が経過した場合には前記第１の記録素子に記録された画像データを再生して前記第２の記録素子に記録し、前記記録開始の指示の後前記所定期間内に記録停止の指示を受けた場合には前記第１の記録素子に記録された画像データを前記第２の記録素子に記録することなく前記第１の記録素子に対する前記画像データの記録を停止するよう前記第１の記録再生手段と第２の記録再生手段を制御するコントローラとを備えることを特徴とする記録再生装置。
【請求項３】
前記所定期間は、前記第２の記録素子に記録された複数の画像データを途切れることなく再生するために必要な最小記録データ量に対応した期間であることを特徴とする請求項２記載の記録再生装置。
【請求項４】
前記コントローラは、前記記録開始の指示の後前記所定期間内に記録停止の指示を受けた場合には、前記第１の記録素子に対する前記画像データの記録停止後、前記記録開始の指示から記録停止の指示までの間に前記第１の記録素子に記録された画像データを消去するよう前記第１の記録再生手段を制御することを特徴とする請求項２記載の記録再生装置。
【請求項５】
前記コントローラは、前記記録開始の指示の後所定期間が経過した場合には、前記記録停止の指示を受けるまで前記第１の記録素子に対して前記画像データの記録を継続しながら、前記第１の記録素子から前記第２の記録素子への画像データの記録を継続するよう前記第１の記録再生手段と第２の記録再生手段を制御することを特徴とする請求項２記載の記録再生装置。
【請求項６】
前記コントローラは、前記所定期間内に記録停止の指示を受けた後、更に前記第２の記録素子に対する前記第１の記録素子に記録された画像データの複写指示があった場合、前記記録開始の指示から記録停止の指示までの間に前記第１の記録素子に記録された画像データを再生して前記第２の記録素子に記録するよう前記第１の記録再生手段と第２の記録再生手段とを制御することを特徴とする請求項２記載の記録再生装置。
【手続補正３】
【補正対象書類名】明細書
【補正対象項目名】０００１
【補正方法】変更
【補正の内容】
【０００１】
【発明の属する技術分野】
本発明は、記録再生装置に関し、特に、撮像された画像データのカード、ディスク等の記録素子への記録、及び記録された画像データの再生を行う記録再生装置に関する。
【手続補正４】
【補正対象書類名】明細書
【補正対象項目名】００１０
【補正方法】変更
【補正の内容】
【００１０】
本発明の目的は、シームレス再生時の記録素子の記録領域制御を簡易に行うことができる記録再生装置を提供することにある。
【手続補正５】
【補正対象書類名】明細書
【補正対象項目名】００１１
【補正方法】変更
【補正の内容】
【００１１】
【課題を解決するための手段】
上記目的を達成するために、請求項１記載の記録再生装置は、撮像手段と、前記撮像手段により得られた画像データをカード型メモリに対して記録再生する第１の記録再生手段と、前記画像データをディスク媒体に対して記録再生する第２の記録再生手段と、記録開始の指示に応じて前記カード型メモリに対して前記画像データの記録を開始すると共に、前記記録開始の指示の後記録停止の指示を受けることなく所定期間が経過した場合には前記カード型メモリに記録された画像データを再生して前記ディスク媒体に記録し、前記記録開始の指示の後前記所定期間内に記録停止の指示を受けた場合には前記カード型メモリに記録された画像データを前記ディスク媒体に記録することなく前記カード型メモリに対する前記画像データの記録を停止するよう前記第１の記録再生手段と第２の記録再生手段を制御するコントローラとを備えることを特徴とする。
上記目的を達成するために、請求項２記載の記録再生装置は、画像データを第１の記録素子に対して記録再生する第１の記録再生手段と、画像データを第２の記録素子に対して記録再生する第２の記録再生手段と、記録開始の指示に応じて前記第１の記録素子に対して前記画像データの記録を開始すると共に、前記記録開始の指示の後記録停止の指示を受けることなく所定期間が経過した場合には前記第１の記録素子に記録された画像データを再生して前記第２の記録素子に記録し、前記記録開始の指示の後前記所定期間内に記録停止の指示を受けた場合には前記第１の記録素子に記録された画像データを前記第２の記録素子に記録することなく前記第１の記録素子に対する前記画像データの記録を停止するよう前記第１の記録再生手段と第２の記録再生手段を制御するコントローラとを備えることを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００５９
【補正方法】変更
【補正の内容】
【００５９】
【発明の効果】
以上詳細に説明したように、請求項１記載の記録再生装置によれば、記録開始の指示に応じてカード型メモリに対して画像データの記録を開始すると共に、記録開始の指示の後記録停止の指示を受けることなく所定期間が経過した場合にはカード型メモリに記録された画像データを再生してディスク媒体に記録し、記録開始の指示の後所定期間内に記録停止の指示を受けた場合にはカード型メモリに記録された画像データをディスク媒体に記録することなくカード型メモリに対する画像データの記録を停止するよう第１の記録再生手段と第２の記録再生手段を制御するので、所定の記録長未満の画像データの第２の記録再生手段への記録を防止することができ、もってシームレス再生時の記録素子の記録領域制御を簡易に行うことができる。
請求項２記載の記録再生装置によれば、記録開始の指示に応じて第１の記録素子に対して画像データの記録を開始すると共に、記録開始の指示の後記録停止の指示を受けることなく所定期間が経過した場合には第１の記録素子に記録された画像データを再生して第２の記録素子に記録し、記録開始の指示の後所定期間内に記録停止の指示を受けた場合には第１の記録素子に記録された画像データを第２の記録素子に記録することなく第１の記録素子に対する画像データの記録を停止するよう第１の記録再生手段と第２の記録再生手段を制御するので、所定の記録長未満の画像データの第２の記録素子への記録を防止することができ、もってシームレス再生時の記録素子の記録領域制御を簡易に行うことができる。
【手続補正１８】
【補正対象書類名】明細書
【補正対象項目名】００６０
【補正方法】変更
【補正の内容】
【００６０】
請求項３記載の記録再生装置によれば、所定期間は、第２の記録素子に記録された複数の画像データを途切れることなく再生するために必要な最小記録データ量に対応した期間であるので、シームレス再生可能な最小記録長以上の画像データのみを第２の記録素子に複写することによりシームレス再生を確実に行うことができる。
【手続補正１９】
【補正対象書類名】明細書
【補正対象項目名】００６１
【補正方法】変更
【補正の内容】
【００６１】
請求項４記載の記録再生装置によれば、記録開始の指示の後所定期間内に記録停止の指示を受けた場合には、第１の記録素子に対する画像データの記録停止後、記録開始の指示から記録停止の指示までの間に第１の記録素子に記録された画像データを消去するよう第１の記録再生手段を制御するので、最小記録長を満足しない不要なコマ切れの画像データを第１の記録素子から消去するという編集の手間が省ける。